(57)【特許請求の範囲】
【請求項１】
一体的に回転する外筒(7)と内筒(8)とを備えた回転ドラム(3)の当該内筒と外筒の間に挿入したマットを洗濯するマット洗濯機において、筒の軸心(O)を回転中心軸と一致させた上記外筒(7)と、筒の軸心(P)を偏心させた上記内筒(8)と、この内筒の偏心方向と反対の側に配置されたバランス部材(15)とを備えている、回転ドラム式マット洗濯機。
【請求項２】
上記バランス部材(15)が上記外筒の内周面に固定されてマットの周方向移動を規制するストッパ部材である、請求項１記載のマット洗濯機。
【発明の詳細な説明】
【０００１】
【発明の属する技術分野】
この発明は、回転ドラム式の洗濯機に関するもので、特に寝台のマットを洗浄するのに適した回転ドラム式洗濯機に関するものである。
【０００２】
【従来の技術】
洗濯物を収容し、洗濯液に一部浸漬された状態で回転する回転ドラムを備えた回転ドラム式洗濯機は、業務用洗濯機として広く用いられており、衣類を痛めないで効率よく洗濯できるという特徴を備えている。洗濯物を収容する回転ドラムは、水平軸回りに回転する構造が一般的で、洗濯終了後回転ドラムを高速回転させて脱水を行い、更には低速回転する回転ドラム内に温風を通過させて、脱水後の乾燥まで行うものも用いられている。
【０００３】
このような回転ドラム式洗濯機で寝台のマットや和布団などのような大型の洗濯物を洗濯しようとすると、洗濯物が偏在したときに回転ドラムのアンバランスが非常に大きくなって、洗濯機の円滑な運転が妨げられる。そこで、マットや和布団を回転ドラムの周面に定置させて、回転ドラムのアンバランスが生じないようにする技術が特開平６−１１４１８１号公報や、特開２０００−１３５３９６号公報により提案されている。
【０００４】
特開平６−１１４１８１号公報に記載の発明は、本願出願人の出願に係るもので、曲げ方向や長さ方向にも弾力性を備えたマットの洗濯に適したもので、回転ドラムの内周面に所定間隔でドラムの軸方向の畝状突起を設け、隣接する畝状突起の間にマットを少し弾性圧縮した状態で嵌め込むことにより、マットを回転ドラムの周面に定置させるようにしたものである。
【０００５】
一方、特開２０００−１３５３９６号公報に開示された発明は、柔軟な和布団の洗濯に適したもので、同心に配置されて一体に回転する外筒と内筒とを備え、和布団を内筒に巻き付けた状態で内筒と外筒との間に収容することにより、和布団を回転ドラム内に定置させるようにしたものである。
【０００６】
【発明が解決しようとする課題】
特開平６−１１４１８１号公報記載のものは、複数枚のマットを同時に洗濯するような大型のマット洗濯機の構造として特に適しており、回転ドラムへのマットの挿入も容易である。それは、回転ドラムが大型であれば、畝状突起間にマットを収納するときのマットの屈曲量も比較的小さいため、回転ドラムへのマットの嵌め込み作業が比較的容易にできることによる。これに対してマットを１枚ずつ洗濯するような小型の洗濯機のときは、マットを回転ドラムに挿入するときに、マットをほとんど３６０度近くまで屈曲してやる必要があるが、このときマットが円弧状にならないでＵ字状やＶ字状に屈折するため、マットを回転ドラムに嵌め込む際に、より多くの熟練と腕力とが必要である。
【０００７】
小型のマット洗濯機は、病院に設置されることも多く、その場合には洗濯機へのマットの出し入れが女性の手で行われることが多いので、マットの装脱に腕力を要しないことが要求される。
【０００８】
一方、特開２０００−１３５３９６号記載のものは、和布団を内筒に巻き付けて収容することからも理解されるように、小型の洗濯機に適した構造である。内筒と外筒とを同心に配置した構造は、柔軟でかつ濡れたときに非常に重くなる和布団をバランス良く回転ドラム内に保持するのに有効である。しかし曲げ方向にも弾力性を有するマットの場合には、内筒に丸く巻き付けようとしても、マットはＵ字ないしＶ字状に折れ曲がろうとし、弾力で真っ直ぐになろうとするマットの両端部分を円弧状に曲げて内筒と外筒との間に挿入するのに腕力や熟練が必要になるという前記特開平６−１１４１８１号公報記載のものと同様な問題が生ずる。
【０００９】
そこでこの発明は、病院の寝台等に用いられている曲げ方向にも弾力性を備えたマットの洗浄に適した小型の洗濯機を得ることを課題としており、非力な女性でも容易に回転ドラム内へのマットの挿入を行うことができ、かつ洗濯中におけるマットの移動や回転ドラムのアンバランスを生じない回転ドラム式マット洗濯機を得ることを課題としている。
【００１０】
【課題を解決するための手段】
この発明のマット洗濯機の回転ドラム３は、外筒７と内筒８との二重円筒構造を備えており、かつ内筒８は外筒７の中心に対して偏心している。ドラムの回転は外筒７の軸心回りに行われる。内筒８が外筒７に偏心している関係上、内筒８と外筒７との間の径方向の間隙は、偏心側１４で狭く、反偏心側で広い。狭い方の偏心側の間隙１４は、洗濯しようとするマットの厚さより必要な遊隙分だけ広い。
【００１１】
内筒８を偏心させたことによるアンバランス及び回転ドラム内へのマットの装着状態に起因するアンバランスをバランスさせるために、内筒８の偏心方向と反対の方向の適宜な箇所にバランス部材１５を一般的には外筒７に固定して設ける。
【００１２】
洗濯しようとするマット１７は、長さ中央部を内筒８と外筒７の間隔が最も狭くなった部分に差込まれるようにして、内筒８と外筒７との間に挿入する。このようにマットを挿入すると、真っ直ぐな状態を保とうとするマットの両端付近は、内筒８と外筒７との間の間隔が広くなった反偏心側の間隙の部分に差し込まれるため、マットの端部を無理やり曲げる必要がなくなり、回転ドラムへのマットの挿入が容易になる。
【００１３】
回転ドラムの外筒７の内周面には、挿入したマットの周方向の移動を防止するためのストッパを設けておくのが好ましく、このストッパは内筒の反偏心側の外筒内面に固定されることとなるので、このストッパをバランス部材とすることが可能である。すなわち、内筒８を偏心させたことによるアンバランスを解消するのに必要なバランス部材の重量と、ストッパの装着位置とから算出される重量をストッパ１５に付与してボルトなどにより外筒７の内周面に固定する。
【００１４】
このストッパ１５は挿入されたマットの端部から若干離れた位置に固定するようにしてもよく、これによりストッパ１５の位置を変更することなく、若干であれば長さの違うマットを洗濯することができる。
【００１５】
【発明の実施の形態】
図１及び図２は、この発明のマット洗濯機の一実施例を示した図である。フレーム１には液封構造の洗濯槽１０が固定され、回転軸２が水平に軸支されている。この回転軸の一端は、洗濯槽１０の後壁を貫通してその先端に回転ドラム３が固定されている。回転軸２の他端にはプーリ４が固定され、ベルト５を介してフレーム１に搭載した電動機６で回転駆動される。洗濯槽１０及び回転ドラム３は反回転軸側の端面が開放されて洗濯物の投入排出口となっている。
【００１６】
回転ドラム３は、ステンレスの穴明き板からなる外筒７と内筒８とを備えている。外筒７の軸心Ｏは、回転軸２の軸心と一致しており、内筒８の軸心Ｐは、回転軸２の中心すなわち外筒７の軸心Ｏに対して偏心している。外筒７は、回転軸２に固定された支持円板９に溶着されており、内筒８はその奥端において支持円板９に図示しないボルトで固定されている。
【００１７】
洗濯槽１０にはそれぞれ電磁バルブを備えた洗濯液供給管１１と、洗濯液排出管１２とが接続されており、所定のレベルまで洗濯液１３が供給されて回転ドラム３はその下方部分が洗濯液１３に浸漬した状態で回転する。この洗濯機で洗濯後のマットの脱水も行うときは、洗濯液排出管１２から洗濯液を排出した後、回転ドラム３を高速回転させる。
【００１８】
図１、２は内筒８の偏心方向を下方にした状態で回転ドラムを図示している。従って図１においては、図の下端側で内筒８と外筒７との間の間隙１４が最も狭く、上方では広くなっている。内筒８の反偏心側、すなわち図１の回転ドラムの上方部分に２本のストッパ１５が外筒７の内周面にボルトで固定して取付けられている。このストッパ１５は、断面が略Ｖ字状の回転ドラムの軸方向に長い部材で、そのマット側を向く面１６が外筒７の内面と直交する角度になるようにして外筒７に固定されている。
【００１９】
この２本のストッパ１５は、内筒８の偏心方向とちょうど反対の方向、すなわち図１の外筒の真上の位置に対して対称に配置されている。内筒８を回転軸２の中心から偏心させたことによるアンバランスは、その偏心方向と反対の方向に２本のストッパ１５を固定することによりバランスさせている。同時にこのストッパ１５は、内筒８と外筒７との間に挿入されたマット１７の周方向の移動を阻止する機能を有している。
【００２０】
マット１７は図１に想像線で示すように、略円弧状に屈曲して内筒８と外筒７との間の間隙に挿入される。内筒８と外筒７との間の間隔が最も狭くなった位置１４にマット１７の長手中間部が挿入される。従ってマットの両端部は、内筒８と外筒７との間隔が広くなった位置に挿入されることとなり、マットの厚さに対して十分に余裕のある間隙となっているため、マットの端部を無理に曲げなくても挿入することができる。
【００２１】
挿入されたマットは真っ直ぐになろうとする弾力が内筒８と外筒７とによって抑制されて、回転ドラム３の周面に沿った状態で保持され、かつストッパ１５により周方向の大きな移動が防止される。
【００２２】
なお、洗濯槽１０には回転ドラムの開口を閉鎖するように扉１８が設けられており、この扉１８を開いてマット１７の出し入れを行い、扉を閉じて洗濯槽１０を密閉した状態で洗濯や脱水操作が行われる。
【００２３】
また、図示実施例のものでは、内筒８及びストッパ１５をボルト止めしているので、これを取外して外筒内面に適宜ビータを取付けることにより、通常の衣類の洗濯機として用いることができ、また通常の衣類の洗濯機のビータを取り外して、内筒８とストッパ１５とを取付けることにより、この発明のマット洗濯機とすることが可能である。
【００２４】
【発明の効果】
以上説明したこの発明によれば、曲げ方向の弾性を備えたマットをアンバランスを生じさせないで洗濯することができ、かつ洗濯機へのマットの挿入が容易で作業性のよい小型のマット洗濯機を提供できるという効果がある。
【図面の簡単な説明】
【図１】本発明の回転ドラム式マット洗濯機の回転ドラムを示すの正面図
【図２】本発明の回転ドラム式マット洗濯機の断面側面図
【符号の説明】
７  外筒
８  内筒
15  ストッパ
Ｏ  外筒の軸心
Ｐ  内筒の軸心
【図１】
0003665592.tif 000002
【図２】
0003665592.tif 000003